(57)【要約】【課題】  ユーザーが所望する色補正を行えるようにしながら、画像入力装置と画像出力装置間で通信するデータ量を削減すること。【解決手段】  直接通信を行うデジタルスチルカメラ（ＤＳＣ）とプリンタ間におけるデータの転送方法であって、ＤＳＣは、入力した画像の画像ファイルと、プリンタと共通な予め設定された色空間において色変換を行う為の変換情報を含む変換ファイルとを保持し、ＤＳＣからプリンタに、プリンタから出力する画像ファイルの画像を色変換するための変換ファイルを転送する第１の転送工程（７０６、７０７）と、前記画像ファイルを転送する第２の転送工程（７０８、７０９）とを有し、プリンタは、前記第２の転送工程で転送された前記画像ファイルの画像に対して、前記第１の転送工程で転送された前記変換ファイルの変換情報を用いて色変換を行って、出力する。【選択図】  図７
2008046689.tif 000002
【特許請求の範囲】
【請求項１】
直接通信を行う画像入力装置と画像出力装置間におけるデータの転送方法であって、前記画像入力装置は、入力した画像の画像ファイルと、前記画像出力装置と共通な予め設定された色空間において色変換を行う為の変換情報を含む変換ファイルとを保持し、前記転送方法は、
前記画像入力装置から前記画像出力装置に、前記画像出力装置から出力する画像ファイルの画像を色変換するための変換ファイルを転送する第１の転送工程と、
前記画像入力装置から前記画像出力装置に、前記画像ファイルを転送する第２の転送工程とを有し、
前記画像出力装置は、前記第２の転送工程で転送された前記画像ファイルの画像に対して、前記第１の転送工程で転送された前記変換ファイルの変換情報を用いて色変換を行って、出力することを特徴とする転送方法。
【請求項２】
前記第２の転送工程では複数の画像ファイルを転送し、前記画像出力装置は、前記第２の転送工程で転送された前記複数の画像ファイルの画像に対して、前記第１の転送工程で転送された前記変換ファイルの変換情報を用いて色変換を行うことを特徴とする請求項１に記載の転送方法。
【請求項３】
前記第１の転送工程では、複数の異なる色変換をそれぞれ定義した複数の変換ファイルを転送し、前記画像出力装置は、前記第２の転送工程で転送された前記画像ファイルの画像に対して、前記第１の転送工程で転送された前記複数の変換ファイルの変換情報を用いて複数の異なる色変換を行うことを特徴とする請求項１または２に記載の転送方法。
【請求項４】
前記第１の転送工程で転送された前記変換ファイルを記憶手段に記憶する記憶工程を更に有し、
前記画像出力装置は、前記記憶手段に変換ファイルが記憶されている場合に、前記第２の転送工程で転送された前記画像ファイルの画像に対して、前記記憶手段に記憶されている前記変換ファイルの変換情報を用いて色変換を行うことを特徴とする請求項１乃至３のいずれかに記載の転送方法。
【請求項５】
前記記憶手段に記憶されている変換ファイルの変換情報を色変換に用いる場合に、前記第１の転送工程をスキップすることを特徴とする請求項４に記載の転送方法。
【請求項６】
前記画像入力装置は、当該画像入力装置の色空間から、前記画像出力装置と共通な前記予め設定された色空間に画像ファイルの画像を変換する為の変換情報を含む色空間変換ファイルを更に保持し、
前記転送方法は、前記画像入力装置から前記画像出力装置に、前記色空間変換ファイルを転送する第３の転送工程を更に有し、
前記画像出力装置は、前記第２の転送工程で転送された画像ファイルの画像に対して、前記第３の転送工程で転送された色空間変換ファイルの変換情報を用いて色空間の変換を行ってから、前記第１の転送工程で転送された変換ファイルの変換情報を用いて色変換を行うことを特徴とする請求項１乃至５のいずれかに記載の転送方法。
【請求項７】
前記画像入力装置から前記画像出力装置に、変換ファイル及び画像ファイルの転送を通知するジョブファイルを転送する第４の転送工程を更に有することを特徴とする請求項１乃至６のいずれかに記載の転送方法。
【請求項８】
外部画像出力装置と直接通信する為の通信手段と、
入力した画像の画像ファイルと、前記画像出力装置と共通な予め設定された色空間において色変換を行う為の変換情報を含む変換ファイルとを保持する保持手段と、
前記通信手段を介して通信を行う画像出力装置が、画像ファイルの画像に対して、変換ファイルの変換情報を用いて色変換を実施する機能を有しているかどうかを判断する判断手段と、
前記判断手段により有していると判断された場合に、前記画像出力装置から出力する画像ファイルの画像を色変換するための変換ファイルと、前記画像ファイルとを前記通信手段を介して転送するように制御する制御手段と
を有することを特徴とする画像入力装置。
【請求項９】
前記制御手段は、複数の画像ファイルを転送するように制御することを特徴とする請求項８に記載の画像入力装置。
【請求項１０】
前記制御手段は、複数の異なる色変換をそれぞれ定義した複数の変換ファイルを転送するように制御することを特徴とする請求項８または９に記載の画像入力装置。
【請求項１１】
前記保持手段は、前記画像入力装置の色空間から、前記画像出力装置と共通な前記予め設定された色空間に画像ファイルの画像を変換する為の変換情報を含む色空間変換ファイルを更に保持し、前記制御手段は更に前記色空間変換ファイルを前記通信手段を介して転送するように制御することを特徴とする請求項８乃至１０のいずれかに記載の画像入力装置。
【請求項１２】
前記制御手段は更に、変換ファイル及び画像ファイルの転送を通知するジョブファイルを前記通信手段を介して転送するように制御することを特徴とする請求項８乃至１１のいずれかに記載の画像入力装置。
【請求項１３】
外部画像入力装置と直接通信する為の通信手段と、
前記通信手段を介して、前記画像入力装置から、画像ファイルと、予め設定された色空間において色変換を行う為の変換情報を含む変換ファイルとを受信するように制御する制御手段と、
前記受信した画像ファイルの画像に対して、前記変換ファイルの変換情報を用いて色変換を行う色変換手段と、
前記色変換手段により色変換を行った画像を出力する出力手段と
を有することを特徴とする画像出力装置。
【請求項１４】
前記色変換手段は、複数の画像ファイルの画像に対して、前記変換ファイルの変換情報を用いて色変換を行うことを特徴とする請求項１３に記載の画像出力装置。
【請求項１５】
前記画像入力装置から、複数の異なる色変換をそれぞれ定義した複数の変換ファイルを受信し、前記色変換手段は、前記受信した画像ファイルの画像に対して、前記複数の変換ファイルの変換情報を用いて複数の異なる色変換を行うことを特徴とする請求項１３または１４に記載の画像出力装置。
【請求項１６】
受信した前記変換ファイルを記憶する記憶手段を更に有し、
前記色変換手段は、前記記憶手段に変換ファイルが記憶されている場合に、前記受信した画像ファイルの画像に対して、前記記憶手段に記憶されている前記変換ファイルの変換情報を用いて色変換を行うことを特徴とする請求項１３乃至１５のいずれかに記載の画像出力装置。
【請求項１７】
前記制御手段は、前記画像入力装置の色空間から、前記画像出力装置と共通な前記予め設定された色空間に画像ファイルの画像を変換する為の変換情報を含む色空間変換ファイルを、前記画像入力装置から更に受信するように制御し、
前記色変換手段による色変換の実行に先だって、前記受信した画像ファイルの画像に対して前記色空間変換ファイルの変換情報を用いて色空間の変換を行う色空間変換手段を更に有することを特徴とする請求項１３乃至１６のいずれかに記載の画像出力装置。
【請求項１８】
前記画像出力装置は、変換ファイル及び画像ファイルの転送を通知するジョブファイルを受信し、前記制御手段は前記受信したジョブファイルに基づいて、前記画像ファイル及び前記変換ファイルを受信するように制御することを特徴とする請求項１３乃至１７のいずれかに記載の画像出力装置。
【発明の詳細な説明】
【技術分野】
【０００１】
本発明は画像入力装置、画像出力装置、画像入力装置と画像出力装置間におけるデータの転送方法に関する。特に、ディジタルカメラやビデオカメラに代表される画像入力装置で撮影された画像入力画像をプリンタに代表される画像出力装置によって印刷する際の、画像入力装置と画像出力装置間のデータ転送に関する。
【背景技術】
【０００２】
近年、簡単な操作で画像を撮影し、その撮影した画像をデジタル画像データに変換できるデジタルカメラ（画像入力装置）が広く使用されるようになってきている。このようなカメラで撮影した画像を印刷して写真として使用する場合には、通常、以下のようにするのが一般的である。先ず、その撮影されたデジタル画像データを、一旦、デジタルカメラからＰＣ（コンピュータ）に取り込む。そして、そのＰＣで画像処理を行った後、そのＰＣからカラープリンタに出力して印刷する。
【０００３】
また、ＰＣを介することなく、デジタルカメラからカラープリンタにデジタル画像データを直接伝送して印刷できるカラープリントシステムも開発されている。以下、このような印刷方式を「ダイレクト印刷（ＤＰ）」と呼ぶ。このようなダイレクト印刷のカラープリントシステムでは、色の一致に関しては、異なる画像機器間で色再現を一致させるカラーマネージメントシステム（ＣＭＳ）という手法が利用されている。ＣＭＳは、各画像機器の色再現特性を記述するデバイスプロファイルと、カラーマッチングを行うカラーマッチングメソッドなどで構成されている。
【０００４】
このようなカラーマネージメントを実現する技術の一例として、ＩＣＣ（Ｉｎｔｅｒｎａｔｉｏｎａｌ  Ｃｏｌｏｒ  Ｃｏｎｓｏｒｔｉｕｍ）により定められた、ＩＣＣカラープロファイルに基づいたカラーマネージメントを行うシステムが知られている。このＣＭＳによれば、先ず、カラーマッチングを行うためのデバイスインディペンデントなハブ色空間、あるいはＰＣＳ（Ｐｒｏｆｉｌｅ  Ｃｏｎｎｅｃｔｉｏｎ  Ｓｐａｃｅ）を定義する。そして、その上でデバイス色空間からハブ色空間／ＰＣＳへの色変換を規定するソースプロファイル、ならびにハブ色空間／ＰＣＳからデバイス色空間への色変換を規定するディスティネーションプロファイルを用いて、カラーマネージメントを実現する。
【０００５】
ＣＭＳの処理系は、主に２つの変換処理により構成される。先ず、ソースプロファイルに基づき、入力された画像の入力側デバイスに適合したデバイス色空間における色信号値をハブ色空間／ＰＣＳでの色信号値に変換する。その後、さらにディスティネーションプロファイルに基づき、出力側デバイスに適合したデバイス色空間における色信号に変換する。
【０００６】
このＣＭＳに関しては、次のような技術も実現されている。先ず、ＴＩＦＦ（Tag Image File Format）、やＰＤＦ（Portable Document Format）ファイルのようなファイル規格の枠組みを利用してファイルにプロファイルを埋め込んでおく。そして、ＰＣやデバイスが埋め込まれたプロファイルに基づいて色変換を行う。
【０００７】
一方、ＥＸＩＦ（Exchangeable Image File Format）規格が知られている。ＥＸＩＦ規格では、撮影した画像の特性や撮影条件に関する情報を、画像ファイル毎に埋め込む。これによって、出力デバイスは、画像ファイル毎に撮像時の画像の特性や撮像時の設定を判断することが可能になる。
【０００８】
このような状況の中で、出力画像の色味について、個人の好みを反映させた色にしたいといったことが要望されている。これに関して、カラー画像を印刷するためのプリントシステムにおいて、ユーザーが希望する色味もしくは階調特性を得ることを可能にする方法が提案されている（例えば、特許文献１参照）。
【０００９】
また、複数の色補正方式を切り替えることが可能な印刷装置や（例えば、特許文献２参照）、複数のデバイスプロファイルを施した結果をデバイスの表示装置に表示することで、色処理結果を確認する方法も提案されている（例えば、特許文献３参照）。
【００１０】
【特許文献１】特開２０００−１９０５７２号公報
【特許文献２】特開平０７−２９８０７７号公報
【特許文献３】特開平１１−０１７９７０号公報
【発明の開示】
【発明が解決しようとする課題】
【００１１】
しかしながら、ＰＣを介することなく簡易な方法で利用者の好みの色で画像出力をするには、後述するような課題があった。
【００１２】
まず、ＩＣＣプロファイルに代表されるようなデバイスプロファイルを画像ファイル中に埋め込む方法においては、デバイスプロファイルを画像ファイルごとに埋め込む必要があるため、画像ファイルのサイズが大きくなる。そのため、データ転送時間がプロファイル分余計にかかることになる。画像入力機器として広く使われているデジタルカメラのようなデバイスにおいては、その電源としてバッテリーを使うことが一般的であり、転送時間はバッテリーの持続時間に直接影響してしまうため、すこしでも転送時間を短くすることが要求される。
【００１３】
また、ＥＸＩＦに代表される、撮影時のパラメータを保持する方法では、撮影時に自分の好みになる撮影パラメータを推測して撮影しなければならないため、利用者がカメラの設定から得られる画像を推測する必要があり、高度な技術が必要となる。
【００１４】
また、特許文献１のユーザーの好みを反映させる方法では、ベースとなる基本色から好みの色をユーザーが指示する方法が開示されている。しかしながら、例えば赤、青、緑、黄色といった代表的な色を変化させて自分の撮影した写真を好みの色味に仕上げるといった作業は、色処理についての技術や経験のある利用者でないと難しいという難点があった。
【００１５】
さらに、特許文献２に記載された複数の色補正方式を切り替えることが可能な印刷装置では、出力デバイスに入力デバイスのデバイスプロファイルを保持する必要がある。そのため、すべての入力デバイスにおいて色補正方式を自由に設定できるわけではなく、自由度が低かった。
【００１６】
また、特許文献３に記載された複数のデバイスプロファイルを施した結果をデバイスの表示装置に表示することで、色処理結果を確認する方法においては、次のような欠点がある。即ち、画像入力機器として広く使われているデジタルカメラのようなデバイス実装されている表示装置では、表示エリアが非常に小さく視認性が悪いために、満足な確認ができないことである。
【００１７】
本発明は上記問題点を鑑みてなされたものであり、ユーザーが所望する色補正を行えるようにしながら、画像入力装置と画像出力装置間で通信するデータ量を削減することを目的とする。
【課題を解決するための手段】
【００１８】
上記目的を達成するために、直接通信を行う画像入力装置と画像出力装置間における本発明のデータの転送方法は、前記画像入力装置は、入力した画像の画像ファイルと、前記画像出力装置と共通な予め設定された色空間において色変換を行う為の変換情報を含む変換ファイルとを保持し、前記転送方法は、前記画像入力装置から前記画像出力装置に、前記画像出力装置から出力する画像ファイルの画像を色変換するための変換ファイルを転送する第１の転送工程と、前記画像入力装置から前記画像出力装置に、前記画像ファイルを転送する第２の転送工程とを有し、前記画像出力装置は、前記第２の転送工程で転送された前記画像ファイルの画像に対して、前記第１の転送工程で転送された前記変換ファイルの変換情報を用いて色変換を行って、出力する。
【００１９】
また、本発明の画像入力装置は、外部画像出力装置と直接通信する為の通信手段と、入力した画像の画像ファイルと、前記画像出力装置と共通な予め設定された色空間において色変換を行う為の変換情報を含む変換ファイルとを保持する保持手段と、前記通信手段を介して通信を行う画像出力装置が、画像ファイルの画像に対して、変換ファイルの変換情報を用いて色変換を実施する機能を有しているかどうかを判断する判断手段と、前記判断手段により有していると判断された場合に、前記画像出力装置から出力する画像ファイルの画像を色変換するための変換ファイルと、前記画像ファイルとを前記通信手段を介して転送するように制御する制御手段とを有する。
【００２０】
また、本発明の画像出力装置は、外部画像入力装置と直接通信する為の通信手段と、前記通信手段を介して、前記画像入力装置から、画像ファイルと、予め設定された色空間において色変換を行う為の変換情報を含む変換ファイルとを受信するように制御する制御手段と、前記受信した画像ファイルの画像に対して、前記変換ファイルの変換情報を用いて色変換を行う色変換手段と、前記色変換手段により色変換を行った画像を出力する出力手段とを有する。
【発明の効果】
【００２１】
本発明によれば、ユーザーが所望する色補正を行えるようにしながら、画像入力装置と画像出力装置間で通信するデータ量を削減することができる。
【発明を実施するための最良の形態】
【００２２】
以下、添付図面を参照して本発明を実施するための最良の形態を詳細に説明する。ただし、本形態において例示される構成部品の寸法、形状、それらの相対配置などは、本発明が適用される装置の構成や各種条件により適宜変更されるべきものであり、本発明がそれらの例示に限定されるものではない。
【００２３】
＜基本構成の説明＞
先ず、本実施の形態における基本部分について説明する。なお、以下、プリンタがデジタルスチルカメラ（ＤＳＣ）とダイレクトに通信可能な環境において、ＤＳＣ内の記憶媒体に記憶された映像を印刷する方式をフォトダイレクトプリント方式と呼ぶ。
【００２４】
図１は本実施の形態におけるフォトダイレクトプリンタ（ＰＤプリンタという）１０００の外観図であり、図２はＤＳＣ３０１２をＰＤプリンタ１０００にダイレクト接続する様子を示している。
【００２５】
図１において、このＰＤプリンタ１０００は、ホストコンピュータ（ＰＣ）からデータを受信して印刷する通常のプリンタの機能と、メモリカードなどの記憶媒体に記憶されている画像データを直接読み取って印刷する機能（ＤＰＯＦ機能）を有する。更には、以下に説明するようにデジタルカメラとダイレクトに通信することで、ＤＳＣ３０１２からの画像データを受信して印刷する機能を備えている。
【００２６】
ＰＤプリント装置１０００の外殻をなす本体は、下ケース１００１、上ケース１００２、アクセスカバー１００３及び排出トレイ１００４の外装部材を有している。また、下ケース１００１は、ＰＤプリント装置１０００の略下半部を、上ケース１００２は本体の略上半部をそれぞれ形成しており、両ケースの組合せによって内部に後述する各機構を収納する収納空間を有する中空体構造を成している。そして、その上面部及び前面部にはそれぞれ開口部が形成されている。さらに、排出トレイ１００４は、その一端部が下ケース１００１に回転自在に保持され、その回転によって下ケース１００１の前面部に形成される開口部を開閉させ得るようになっている。このため、記録動作を実行させる際には、排出トレイ１００４を前面側へと回転させて開口部を開成させることにより、ここから記録シートが排出可能となると共に、排出された記録シートを順次積載し得るようになっている。また、排紙トレイ１００４には、２枚の補助トレイ１００４ａ、１００４ｂが収納されており、必要に応じて各トレイを手前に引き出すことにより、用紙の支持面積を３段階に拡大、縮小させ得るようになっている。
【００２７】
アクセスカバー１００３は、その一端部が上ケース１００２に回転自在に保持され、上面に形成される開口部を開閉し得るようになっている。このアクセスカバー１００３を開くことによって本体内部に収納されている記録ヘッドカートリッジ（不図示）あるいはインクタンク（不図示）等の交換が可能となる。なお、ここでは特に図示しないが、アクセスカバー１００３を開閉させると、その裏面に形成された突起がカバー開閉レバーを回転させるようになっている。そのレバーの回転位置をマイクロスイッチなどで検出することにより、アクセスカバーの開閉状態を検出することができる。
【００２８】
また、上ケース１００２の上面には、電源キー１００５が押下可能に設けられている。また、上ケース１００２には、各種キースイッチ等を備える操作パネル１０１０が設けられている。１００７は自動給送部で、記録シートを装置本体内へ自動的に給送する。１００８は紙間選択レバーで、プリントヘッドと記録シートとの間隔を調整するためのレバーである。１００９はカードスロットで、ここにメモリカードを装着可能なアダプタが挿入される。このメモリカードとしては、例えばコンパクトフラッシュ（登録商標）メモリ、スマートメディア（登録商標）、メモリスティック（登録商標）等があり、ＤＳＣで画像を撮影した後にメモリカードを取り出し、それをセットすることで、撮影された画像を読み込み印刷を行うことが可能となる。
【００２９】
１０１２は後述するデジタルカメラを接続するためのコネクタである。通常、デジタルカメラはパーソナルコンピュータ（ＰＣ）と接続する手段として、ＵＳＢ（Universal Serial Bus）を使用することが多いので、本実施の形態でもコネクタ１０１２はＵＳＢインターフェース形態とするが、勿論、これ以外の通信手段でも構わない。また、デジタルカメラとの接続は、その接続作業を簡便なものとするため、図では前面から行える構成にしてあるが、これに限るものではない。
【００３０】
一方、ＰＤプリント装置１０００はパーソナルコンピュータ（ＰＣ）からの印刷をも実現するためのインタフェースを備える。通常、ＰＣと一旦接続した後は、接続状態が維持されたままであることが多いので、そのインタフェース端子は背面に設けている。このＰＣ間との接続インタフェースは、例えば、セントロニクス社仕様のパラレルインターフェース、ＵＳＢインタフェース等でよいが、少なくとも双方向通信機能をサポートするものとした。
【００３１】
図２は本実施の形態に係るＰＤプリント装置１０００とデジタルカメラ３０１２とを接続した状態を示している。
【００３２】
図２において、ケーブル５０００（ＵＳＢケーブル）は、ＰＤプリント装置１０００のコネクタ１０１２に接続するためのコネクタ５００１と、デジタルカメラ３０１２の接続用コネクタ５００３と接続するためのコネクタ５００２とを備えている。なお、デジタルカメラ３０１２を不図示のＰＣと接続する場合には、ＰＣが有するＵＳＢコネクタに、上記コネクタ５００１を接続することで、撮像した画像をＰＣに転送することができる。
【００３３】
また、デジタルカメラ３０１２は、内部のメモリに保存している画像データを、接続用コネクタ５００３を介して出力可能に構成されている。なお、デジタルカメラ３０１２の構成としては、内部に記憶手段としてのメモリを備えるものや、取外し可能なメモリを装着するためのスロットを備えたものなど、種々の構成を採用することができる。このように、図２に示すケーブル５０００を介してＰＤプリント装置１０００とデジタルカメラ３０１２とを接続することにより、デジタルカメラ３０１２からの画像データを直接ＰＤプリント装置１０００で印刷することができる。
【００３４】
図３は本実施の形態におけるＰＤプリンタ１０００の制御系のブロック構成図である。図３において、１はＰＤプリンタ１００全体の制御を司るＣＰＵ、２はＣＰＵ１の動作処理手順（プログラム）やフォントを記憶しているＲＯＭ、３はＣＰＵ１のワークエリアとして使用されるＲＡＭである。４は操作パネル（図１及び図２における１０１０に相当）である。
【００３５】
５はＰＣとの接続を行うためのインターフェースであり、７はデジタルスチルカメラとの接続を行うインターフェース（ＵＳＢのホスト側）である。８は、ストレージデバイスであり画像入力デバイスから送られた画像を保持可能である。９はメモリカードを搭載したアダプタ（ＰＣＭＣＩＡ）１０を接続可能なカードインターフェース（Ｉ／Ｆ）である。カードＩ／ＦはＰＤプリンタ１０００がＤＰＯＦ、すなわち、デジタルカメラで撮影され、記憶されたメモリカード内の印刷指示に関する記述ファイルを読取って、それに従って印刷するためのものである。６はプリンタエンジン部であり、本実施の形態では、熱エネルギーを利用してインク液を吐出するプリントエンジンであるが、記録方式はこれにより限定されるものではない。また、１１は拡張デバイスを接続するためのインタフェースであり、詳細は後述するが、オプションとして用意される画像を表示するための表示装置等が接続できるようになっている。１２は不揮発性メモリであり、このエリアに格納された情報は、電源の供給が絶たれてもその内容を保持することが可能である。前述のストレージデバイスとの違いは、アクセスの速度とデバイス自身の装置コストにある。一般的にハードディスクのようなストレージデバイスは不揮発性メモリに比べて安価である。しかしながら、アクセス速度が遅いため、本実施の形態では、画像ファイルのようなサイズの大きなファイルをストレージデバイスに格納し、色処理に用いる参照テーブルやパラメータ類を不揮発性メモリエリアに保持している。
【００３６】
図４はＤＳＣ（デジタルスチルカメラ）３０１２のブロック構成図である。図４において、３１はＤＳＣ全体の制御を司るＣＰＵであり、３２はＣＰＵ３１の処理手順（プログラム）を記憶しているＲＯＭである。３３はＣＰＵ３１のワークエリアとして使用されるＲＡＭであり、３４は各種操作を行うスイッチ群である。３５は液晶表示器（ＬCＤ）であり、撮像した画像を確認したり、各種設定を行う際のメニューを表示するために使用される。３６は光学ユニットであり、主としてレンズ及びその駆動系で構成される。３７はＣＣＤやＣＭＯＳセンサに代表される撮像素子、３８はＣＰＵ３１の制御下において光学ユニット３６を制御するドライバである。３９はメモリカード４０（例えば、コンパクトフラッシュ（登録商標）メモリカード、スマートメディア（登録商標）等）を接続するためのコネクタである。４１はＰＣ或いは本実施の形態におけるＰＤプリンタ１０００と接続するためのＵＳＢインターフェース（ＵＳＢのスレーブ側）である。
【００３７】
なお、上記構成を有するＰＤプリンタ１０００及びＤＳＣ３０１２において、従来のＤＰＯＦ形式の印刷については、それに準拠した動作を行う。即ち、ＤＳＣ３０１２内からメモリカードを抜き出し、それをＰＤプリンタ１０００のスロット１００９にセットし、そのメモリカード内に記憶されている印刷指示ファイルに従って印刷する。
【００３８】
次に、ＤＳＣ３０１２とＰＤプリンタ１０００とがケーブル５０００で接続され、ダイレクトに通信できる状況にある場合について説明する。
【００３９】
図５はこのダイレクト接続した際の接続レイヤーを示している。図５において、図の上側がＤＳＣ（デジタルカメラ）側のレイヤーを示し、下側がＰＤプリンタ側のレイヤーを示している。
【００４０】
なお、図５に示す例の場合、通信手段として、ＳＣＳＩ、ワイヤレスのＴＣＰ／ＩＰについても示されているが、ここでは代表的にＵＳＢインタフェースでの接続について説明する。
【００４１】
図５に示すレイヤ構造において、ＵＳＢによる通信の場合、周知のＰＴＰ（Picture Transfer Protocol）を用いることになる。本実施の形態では、ＤＳＣ３０１２は、ＰＣと接続するために用意されているＵＳＢインタフェースを利用し、それをＰＤプリンタに接続するものであるので、ＤＳＣ３０１２はＵＳＢスレーブ、ＰＤプリンタ１０００はＵＳＢホストとして機能することになる。すなわち、接続状態にある場合、ＰＤ印刷システムとしての制御はＰＤプリンタ１０００側にあることになる。
【００４２】
図６はＰＴＰによる一般的な通信手順を示している。理解を容易にするため、本実施の形態の場合にはＵＳＢホストがＰＤプリンタ１０００、ＤＳＣ３０１２がＵＳＢスレーブであるので、図６でもその関係で示している。
【００４３】
まず、ＰＤプリンタ１０００からＤＳＣ３０１２に対してＰＴＰコマンドGetDeviceInfoが送信される。この手順では、ＰＤプリンタ１０００は、接続されているデバイスが何であるか不明であるので、それを問い合わせる（手順１００）。これに対してＤＳＣ３０１２は、DeviceInfo DatasetによりＤＳＣ３０１２に関する情報をＰＤプリンタ装置１０００に送信（通知）する（手順１０１）。
【００４４】
次に手順１０２で、ＰＴＰコマンドOpenSessionにより、ＤＳＣ３０１２をリソースとして割り当て、必要に応じてデータオブジェクトにハンドルをアサインしたり、特別な初期化を行うための手順を開始する。
【００４５】
次に、ＤＳＣ３０１２に対してハンドルを要求する（手順１０３）。これは、ＰＤプリンタ１０００にとっては、ＤＳＣ３０１２が有する未知のオブジェクト（撮影画像やスクリプト等である）を特定するため、ＤＳＣ３０１２が所有するオブジェクトにユニークに付けられた番号を要求するものである。この要求により、ＤＳＣ３０１２に保持されているハンドルリストが返送される（手順１０４）。
【００４６】
以上の結果、ＰＤプリンタ１０００では、ＤＳＣ３０１２が幾つのオブジェクト（ＤＰＯＦによる印刷指示ファイル（以下、「ＤＰＯＦファイル」と言う。）、撮像画像ファイル、画像処理パラメタファイル）を保持しているのかが判明する。
【００４７】
この後、ＰＤプリンタ１０００側がｉ番目のオブジェクトが何であるのかを問い合わせる場合には、ｉ番目のオブジェクトに関する属性情報（そのオブジェクトが画像であるのか、スクリプト等のテキストであるのか等。）をGetObjectinfo(i)で要求する。そして、その結果をObjectinfo i Datasetとして受信する（手順１０５）。
【００４８】
また、属性が画像データである場合には、その画像データを示すハンドルを用いて、GetObjectをＰＤプリンタ１００が発行し、その結果、Object i Dataとして受信することで画像データを得ることができる（手順１０６）。
【００４９】
また、ＤＳＣ３０１２が保持する画像ファイル以外のファイルも同様の手順で得ることができる。
【００５０】
＜第１の実施形態＞
次に、上記構成を有するＤＳＣ３０１２及びＰＤプリンタ１０００装置を用いた本発明の第１の実施形態について説明する。
【００５１】
ここでは、ＰＤプリンタ１０００で行う色処理に関する設定を、ＤＳＣ３０１２側で画像とは別ファイルとして保持されているカラープロファイルを用いる方法について説明する。このようにすることで、ＤＳＣ３０１２側でカラープロファイルを保持する手間を低減し、複数のデジタルカメラ間でも等しい色変換をＰＤプリンタ１０００に要求することができる。
【００５２】
まず、全体の流れを図７を用いて説明する。
【００５３】
まず、ＤＳＣ３０１２とＰＤプリンタ１０００の接続をユーザーが物理的に確立した後、ＤＳＣ３０１２とＰＤプリンタ１０００は論理的に接続を確立する（手順７００）。ここで、ＤＳＣ３０１２とＰＤプリンタ１０００間で、本第１の実施形態で説明する画像ファイルと色変換のためのプロファイルを独立に扱うことが可能か否かを確認する。この確認のステップは以下の２段階で実現される。
ステップ１）ＰＤプリンタ１０００において後述するプロファイルに基づいて色変換処理を行うことができるか否か。
ステップ２）色変換処理を行うことが可能な場合、色変換指示のプロファイルは別ファイルで送受信されるのか、画像ファイルに埋め込む形で送受信されるのか。
【００５４】
上記ステップ１及び２で確認される条件を共に満たす場合に、本第１の実施形態における処理を行うことができる。満たしていない場合には、従来のＰＤ印刷を行う。本第１の実施形態におけるＰＤプリンタ１０００は、プロファイルに基づく色変換処理を行うことができ（ステップ１でＹＥＳ）、プロファイルは画像ファイルとは別のファイルで扱い、画像ファイルには埋め込まない（ステップ２でＹＥＳ）ものである。
【００５５】
次にユーザーは、印刷を行う画像ファイル、カラープロファイル、出力媒体サイズ、出力媒体種別、日付印刷の有り無し等を設定して印刷を確定する。このユーザー操作に従って、ＤＳＣ３０１２はジョブファイルを作成し、ＰＤプリンタ１０００へ送信する（手順７０１）。なお、本第１の実施形態のＰＤ印刷システムでは、上述したようにＰＤプリンタ１０００が制御を主体的に行っているため、ジョブファイル等のファイル受信は、ＰＤプリンタ１０００が主体的にＤＳＣ３０１２から取得する。ただし、ここではファイルの移動にのみ着目して説明を行う。
【００５６】
ＰＤプリンタ１０００はジョブファイルを受信し（手順７０２）、これを解釈する（手順７０３）。ジョブファイルの詳細については後述する。
【００５７】
次に、ＰＤプリンタ１０００はジョブファイルに記述されているソースプロファイル（手順７０４、７０５）、カラープロファイル（手順７０６、７０７）、画像ファイル（手順７０８、７０９）の３つのファイルをＤＳＣ３０１２より受信する。ＰＤプリンタ１０００は、上述のジョブファイル、ソースプロファイル、カラープロファイル、画像ファイルに従って後述する画像処理を行い、印刷動作を行う（手順７１０）。
【００５８】
印刷動作が終了した後に、ＰＤプリンタ１０００はＤＳＣ３０１２へ印刷の終了を通知し（手順７１１）、一連の印刷動作を終了する。
【００５９】
ここでＤＳＣ３０１２からＰＤプリンタ１０００へ送信される印刷ジョブファイルの内容を図８を用いて説明する。
【００６０】
ジョブファイルは、ＤＳＣ３０１２のユーザーインタフェースを用いて作成されるユーザーの印刷指示ファイルである。このジョブファイルの内容は、大きく分けて４つのパートからなる。１つ目は、出力媒体の種類やサイズといったケイパビリティ情報である。２つ目は、デジタルカメラで撮影された画像のデジタルカメラデバイスに依存している色情報を汎用的な色空間に変換するための情報を記述したファイル（以下、「ソースプロファイル」と呼ぶ。）である。３つ目は、色変換のための情報を記述したファイル（以下、「カラープロファイル」と呼ぶ。）、そして、４つ目は、画像ファイルである。この４つのファイルは、ＤＳＣ３０１２で別のファイルとして保持されているため、ジョブファイル中にはハンドルを示す情報が記述されている。
【００６１】
カラープロファイルには、色変換に関する指示が書かれている。本第１の実施形態では、一般的にソースプロファイルと呼ばれているものとは別のカラープロファイルを用意している。
【００６２】
ＩＣＣプロファイルにおけるソースプロファイルには、撮影された画像を汎用性のある標準的な色空間へ変換する方法について記述されている。つまり、ＤＳＣ３０１２で撮影された画像は、カラー画像であれば各画素がＲＧＢの多階調信号を持つ画素の集合体として表現されるが、このときのＲＧＢはＤＳＣ３０１２の色空間のものであり、そのままではＰＤプリンタ１０００の解釈できる色空間と差がある。そのため、ＤＳＣ３０１２の意図した色とＰＤプリンタ１０００の再現した色に差が出てしまう。そのため、カラープロファイルにはＤＳＣ３０１２で撮影された色空間からＤＳＣ３０１２とＰＤプリンタ１０００で共通で利用できる標準的な色空間への変換が記述されている。
【００６３】
また、ソースプロファイルと別に用意されているカラープロファイルは、利用者の好みや撮影画像を修正するための色変換を反映させるためのものであり、ＲＧＢ空間からＲＧＢ空間への色の変換を定義したものである。このカラープロファイルの目的は、利用者の好みの反映と撮影時の失敗の補正にある。ここで「利用者の好み」とは、たとえば肌色を明るく印刷したいのか、逆に濃く印刷したいのかといった色の好みの問題や、白色光源下で撮影されたような画像がいいのか、電球のような光源下で撮影された画像にしたいのか、といったことを含む。また、「撮影時の失敗を補正する」とは、カメラの設定や撮影環境から撮影した画像が意図した通りになっていない場合に修正を行うことである。たとえば、絞りやＩＳＯ感度の調整により本来写したかった部分が白飛びしてしまっているような場合に、階調を補正することで写したかった部分の白飛びを解消する。
【００６４】
カラープロファイルはファイルとして独立しているため、前述のＩＣＣプロファイルに代表される汎用のプロファイルを用いることもできる。これにより、別のＤＳＣと共通のプロファイルを使用することもできるし、ＰＣなどを用いて独自のカラープロファイルを作成し、ＤＳＣに保持させることも可能となる。さらに、ＤＳＣ３０１２の内部のファイル構造においても独立しているため、撮影画像毎に埋め込む必要はなく、ＤＳＣ３０１２の内部メモリを圧迫することがない。
【００６５】
このジョブファイルを受信したＰＤプリンタ１０００は、印刷のために必要な色変換のための情報と、画像ファイルの情報をＤＳＣ３０１２より取得する。
【００６６】
ここで、ソースプロファイル、カラープロファイルのＤＳＣ３０１２内部での管理方法について説明する。この２種のプロファイルを撮影画像に埋め込んで管理をする場合、撮影枚数の増加に伴い管理するソースプロファイル、カラープロファイルも増加してしまう。しかし、ソースプロファイルの目的とするところは、ＤＳＣ３０１２のデバイス依存のカラー情報を標準的に複数デバイスで利用可能な色空間に変換することである。そのため、撮影画像によってＤＳＣ３０１２の色空間が変化することはないため、撮影画像毎に管理する必要はなく、ＤＳＣ３０１２の色空間が変化する状況毎に管理を行えばよい。
【００６７】
なお、ＤＳＣ３０１２の色空間が変化する状況とは、ＤＳＣの機種、固体、撮影モードなどが挙げられる。そのため機種、もしくは固体毎、撮影モード毎に保持、管理されていればよい。同様に、利用者の好みの色設定は、撮影画像に従属して決定されるものではなく、少なくとも同一の撮影環境下や撮影対象に従属するべきものである。そのため、撮影画像毎にカラープロファイルを管理する必要はない。上述のことから、撮影画像数とソースプロファイル、カラープロファイルを撮影画像と独立して管理することで、撮影枚数の増加に伴って管理するソースプロファイル及びカラープロファイルが増加することが無くなる。従って、画像やソースプロファイル、カラープロファイルを保持するためのメモリ容量を増加させることもない。
【００６８】
さらに、利用者の好みは、一枚の撮影画像に対しても、例えばより明るいほうが好みか、より暗いほうが好みかといった好みを反映させられることが望まれる。そのため、撮影画像と独立して、明るくするカラープロファイルや、暗くするカラープロファイルといったように管理するとよい。
【００６９】
図９は、本発明で用いるＰＤプリンタ１０００における画像処理を説明する図である。
【００７０】
ＰＤプリンタ１０００が受信する画像は、ＪＰＥＧ画像が一般的である。この場合、画像を構成する画素データは ITU-R のBT.601 における勧告で定義された輝度と色差を用いたY,Cb,Cr という表現を用いる色空間で記述されている。そのため、図示しないがＲＧＢで表現される色空間への変換が行われる。この色空間の変換を行った画像が図中の画像ファイルＩａ（９０１）である。ＪＰＥＧ画像以外の画像をＰＤプリンタ１０００が受信した場合、YCbCr 以外の空間であることも想定される。この場合は、図示しないが、そのファイルに記述された色空間からＲＧＢ空間に色空間変換を行い、ＲＧＢ画像を得る。
【００７１】
次に、ＰＤプリンタ１０００は色変換Ｔａ（９１０）を行う。この色変換は、ＤＳＣ３０１２から受信したソースプロファイルに基づいて行われる。この色変換は、色空間の変換が３次元のルックアップテーブルとして定義されており、ソースプロファイルに記述されている。ＰＤプリンタ１０００は、このソースプロファイル中に記述されたルックアップテーブルに従ってＲＧＢ空間で表現されている画素値を、同じＲＧＢ空間内で変換し、変換画像Ｉｂを得る（９０２）。なお、変換後も同じＲＧＢ表現のため、図９ではダッシュをつけてＲ’Ｇ’Ｂ’画像と表記する。この変換により、ＤＳＣ３０１２で撮影されたままのデバイスに依存した色空間で表現された画像が、ＲＧＢという汎用性のある空間に変換される。
【００７２】
次に、ＰＤプリンタ１０００は色変換Ｔｂ（９１１）を行う。この色変換は、ＤＳＣ３０１２から受信したカラープロファイルに基づいて行われる。この色変換も、色空間の変換が３次元のルックアップテーブルとして定義されており、カラープロファイルに記述されている。ＰＤプリンタ１０００は、このルックアップテーブルに従ってＲＧＢ空間で表現されている画素値を、同じＲＧＢ空間内で変換し、変換画像Ｉｃを得る。この処理でも、変換後も同じＲＧＢ表現となるため、ここではダッシュをつけてＲ”Ｇ”Ｂ”画像と表記する。
【００７３】
最後に色変換Ｔｃ（９１２）を行う。この色変換は、ＲＧＢ空間で記述されている画像ファイルＩｃをＰＤプリンタ１０００のインク色であるＣＭＹＫの色空間に変換して画像Ｉｄを得る処理である。この色変換も前述した色変換ＴａやＴｂと同様にルックアップテーブルを参照して行う。ここで変換に使われるルックアップテーブルは、ＰＤプリンタ１０００に依存する変換であるため、ＤＳＣ３０１２から受信したものではなく、ＰＤプリンタ１０００独自に保持しているものである。
【００７４】
上述したＰＤプリンタ１０００における処理が終了すると、図示しないが画像ファイルＩｄを量子化してドットの吐出データに変換した後に、ＰＤプリンタ１０００内の記録ヘッドへ送信し、印刷を行うことで出力画像を得ることができる。
【００７５】
なお、上記説明では、各色変換間にある画像ファイル（画像ファイルＩｂ、画像ファイルＩｃ）の共通の色空間としてＲＧＢとしているが、この色空間はＲＧＢに限らず、ＸＹＺやＬ*a*b*等の色空間であっても問題はない。
【００７６】
また、前述のようにカラープロファイルとして汎用のものを使用する場合、色変換Ｔａ、Ｔｂは、その仕様に沿ったものとなり、変換後の色空間もその仕様に沿ったものとなる。
【００７７】
本第１の実施形態では、ソースプロファイルも画像ファイルとは別ファイルとして管理するようにしているが、変形例として画像ファイルに従属させて管理しても良い。この構成の場合、画像ファイル中にソースプロファイルを埋め込むことで画像ファイルに従属させて管理させることができる。この場合、上述した図７に示す手順の内、手順７０４、７０５を省略することができる。
【００７８】
また、上述した第１の実施形態では、ソースプロファイルによる色変換をＰＤプリンタ１０００で行うものとして説明したが、ＤＳＣ３０１２で行うようにしても良い。ソースプロファイルにおける色変換は、ＤＳＣ３０１２のデバイス依存性を吸収することを目的としているため、その処理はＤＳＣ３０１２とＰＤプリンタ１０００のどちらで行っても本発明の効果を阻害するものではない。
【００７９】
また、ＤＳＣ３０１２において意図的にソースプロファイルの変換を行わない変形例としては、以下のようにして実現される。即ち、ＤＳＣ３０１２が送信する画像ファイルに予めソースプロファイルによる変換に相当する画像変換を行い。さらに、図８に示されるジョブファイル中のソースプロファイルの記述を行わないことである。つまり、ＤＳＣ３０１２においてＤＳＣ３０１２のデバイスに依存する色空間から標準的な色空間への変換を行っておくことで、ＰＤプリンタ１０００側でＤＳＣ３０１２のデバイスに依存する色変換を行う手間を省いている。さらに、送信する画像がＤＳＣ３０１２のデバイス特性に依存していないことを示すために、図８に示すソースプロファイルの記述を省いている。
【００８０】
また、プリンタ側で意図的にＤＳＣ３０１２においてソースプロファイルに基づく色変換を行わせるためには、以下のようにして実現できる。即ち、手順７００の確認のための２つのステップの内のステップ１において、ソースプロファイルに基づく色変換処理をＰＤプリンタ１０００で行わないと記述しておく。このようにソースプロファイルにおける色変換をＤＳＣ３０１２において実行する場合、送受信するデータ量がソースプロファイル分削減できるという利点がある。更に、ＰＤプリンタ装置１０００よりもＤＳＣ３０１２において色変換処理が高速で行うことができる場合には、処理時間の短縮も見込める。
【００８１】
更に、上記第１の実施形態ではソースプロファイルに従ったＤＳＣ１０００の色空間から汎用性のある色空間への変換と、カラープロファイルに従った汎用性のある色空間内での好みを反映した色変換の２段階に分けて実施する場合について説明した。これに対し、これら２つの変換処理を好みを反映させる一度の変換にまとめてしまっても構わない。この場合、ＤＳＣ３０１２においてはソースプロファイルとカラープロファイルの変換を１つの変換にまとめた一つの変換をカラープロファイルとして保持する。これにより、図７に示す手順の内、手順７０４、手順７０５を省略し、更に図９の色変換９１０も省略することが可能になる。
【００８２】
また、上記第１の実施形態では、ジョブファイルとジョブファイルにリンクする形で、ソースプロファイル、カラープロファイル、画像ファイルをそれぞれ独立して異なるタグで記述していた。これに対し、ジョブファイルに画像ファイルをリンクさせ、画像ファイル中にソースプロファイル、カラープロファイルをリンクさせて記述しても良い。この場合の手順としては、ジョブファイルを受信したＰＤプリンタ１０００が、その内容を解析し、画像ファイルを受信する。次に画像ファイルを解析し、その内容からソースプロファイル、カラープロファイルに関する情報を得て、その情報を元にＤＳＣ３０１２へソースプロファイル、カラープロファイルを受信するといった構成になる。この構成でも、画像ファイル、ソースプロファイル、カラープロファイルは、ＤＳＣ３０１２中においては各々独立に管理されているため、画像ファイル毎にソースプロファイル、カラープロファイルを用意する必要が無い。そのため、本発明の効果であるデジタルカメラ側でカラープロファイルを保持する手間を低減することは可能である。
【００８３】
さらに、ソースプロファイルを画像に埋め込んでおいてもよい。その場合、手順７００の確認のための２つのステップの内のステップ２において、ソースプロファイルを画像に埋め込む形式で送受信することをＤＳＣ３０１２とＰＤプリンタ１０００間で決定する。さらに、図８におけるジョブファイル中のソースプロファイルに関する記述が省略される。また、図８のジョブファイル中のソースプロファイルに関する記述中に、「画像ファイルに埋め込まれたプロファイルを使用する」ということを意味するコマンドを埋め込んでおいても同様のことが実現できる。この場合、ソースプロファイルの送受信にかかる手間は増えてしまうが、カラープロファイルに関しては上記第１の実施形態と同様の処理となるために、同様の効果が期待できる。
【００８４】
上記の通り本第１の実施形態によれば、利用者の好みや撮影画像を修正することが可能になり、同時にデジタルカメラ側で画像ファイル毎にカラープロファイルを保持する手間を低減することが可能となる。また、デジタルカメラとＰＤプリンタ間のデータ通信量を減らすことができ、通信時間も短縮することが可能となる。
【００８５】
また、前述のようにソースプロプロファイルによる変換後は、汎用性のある色空間における記述となっているため、図９において画像ファイルＩbは、汎用性のある色空間で記述された画像ファイルになる。このため、異なる種類のＤＳＣにおいて撮影された画像ファイルにおいても、この画像ファイルＩbに変換された時点で機種依存性が無くなる。そのため、図９において色変換Ｔbで示される好みを反映するための色変換は、ＤＳＣの機種に対して独立した変換として定義できることとなる。従って、異なるＤＳＣにより撮影された画像ファイルＩbに対して共通の色変換のためのカラープロファイルを用いることができるため、どのＤＳＣから取得した画像ファイルｌaに対しても等しい色変換をＰＤプリンタに要求することが可能になる。ただし、前述のソースプロファイルとカラープロファイルをまとめて一つの変換にする場合においては、ソースプロファイルとカラープロファイルが同一のプロファイル中に記述されているために、この効果は期待できない。
【００８６】
＜第２の実施形態＞
次に、本発明の第２の実施形態について説明する。ここでは、複数のカラープロファイルでの印刷処理をＰＤプリンタ１０００に要求することにより、どのカラープロファイルが自分の好みと最も一致するかをユーザーが選択できる環境を提供する。さらにこの一連の作業に際し、ＤＳＣ３０１２とＰＤプリンタ１０００間での通信のオーバーヘッドを極力減らし、簡易な構成で実現する場合について説明する。
【００８７】
まず、全体の流れについて図１０を用いて説明する。
【００８８】
第１の実施形態と同様に、ＤＳＣ３０１２とＰＤプリンタ１０００の接続をユーザーが物理的に確立した後、ＤＳＣ３０１２とＰＤプリンタ１０００は論理的に接続を確立する（手順２７００）。
【００８９】
次にユーザーは、印刷を行う画像ファイル、カラープロファイル、出力媒体サイズ、出力媒体種別、日付印刷の有り無し等を設定して印刷を確定する。この際、本第２の実施形態においては、ユーザーは複数のカラープロファイルを選択する。さらに、複数の画像出力を得るために、ユーザーはレイアウトを変更する。一画像につき一枚の記録媒体の出力結果を得る場合は、１ＵＰのレイアウトを記述するので、レイアウトとしては第１の実施形態の場合と同様であるが、複数の画像をまとめて一枚の記録媒体に出力する場合は、複数ＵＰのレイアウトを指定する。このユーザー操作に従って、ＤＳＣ３０１２はジョブファイルを作成し、ＰＤプリンタ１０００へ送信する（手順２７０１）。
【００９０】
ＰＤプリンタ１０００はジョブファイルを受信し（手順２７０２）、これを解釈する（手順２７０３）。ジョブファイルの詳細については後述する。
【００９１】
次に、ＰＤプリンタ１０００はジョブファイルに記述されているソースプロファイルを受信し（手順２７０４、２７０５）、記述さているだけカラープロファイルをＤＳＣ３０１２より受信する。本第１の実施形態では、４種のカラープロファイルを送受信するものとする（手順２７０６、２７０７、２７１２〜２７１７）。
【００９２】
カラープロファイルの送受信が終了した後に、画像ファイルをＤＳＣ３０１２より受信する（手順２７０９）。ＰDプリンタ１０００は、上述のジョブファイルにしたがってレイアウトを行い、ソースプロファイル、カラープロファイル、画像ファイルに従って後述する画像処理を行い、印刷動作を行う（手順２７１０）。
【００９３】
印刷動作が終了した後に、ＰＤプリンタ１０００はＤＳＣ３０１２へ印刷の終了を通知し（手順２７１１）、一連の印刷動作を終了する。
【００９４】
ここでＤＳＣ３０１２からＰＤプリンタ１０００へ送信される印刷ジョブファイルの内容について図１１を用いて説明する。
【００９５】
第１の実施形態との違いは、ケイパビリティを記述した部分のレイアウトの指定と、プロファイルの部分である。前者のケイパビリティの違いは、カラープロファイル分の画像印刷を行うためレイアウトを１枚の記録媒体に４つの画像を配置する４ＵＰレイアウトが指定されているところである。後者の違いは、送受信されるカラープロファイルの数である。
【００９６】
画像処理に関しては、レイアウトを行う部分以外は、第１の実施形態と等価であるため説明を省略する。
【００９７】
レイアウトされた結果の出力結果の一例を図１２に示す。この図に示されるように４種のカラープロファイルの設定に従って画像処理を行い、１枚の出力メディアに４つの画像をレイアウトして出力される。図１２に示す例では、出力メディアの左上に画像(00000001)にカラープロファイル(00000002)による色変換処理を掛けた結果の出力画像(12-1)を印刷する。また、右上に画像(00000001)にカラープロファイル(00000003)による色変換処理を掛けた結果の出力画像(12-2)を印刷する。また、左下に画像(00000001)にカラープロファイル(00000004)による色変換処理を掛けた結果の出力画像(12-3)を印刷する。また、右下に画像(00000001)にカラープロファイル(00000005)による色変換処理を掛けた結果の出力画像(12-4)を印刷する。
【００９８】
なお、本第２の実施形態では、一つの画像に対して複数のカラープロファイルをＤＳＣ３０１２から送信することで、一つの画像を複数のカラープロファイルに基づいて処理し、印刷する場合について説明した。本第２の実施形態では、更に、複数の画像と複数のカラープロファイルを送信し、画像とカラープロファイルの組み合わせ数だけ印刷を行っても問題はない。一例として、平均ファイルサイズＰのｍ個の画像ファイルと、平均ファイルサイズＱのｎ個のカラープロファイルを送信する例について考える。画像ファイルにカラープロファイルを埋め込む場合、転送されるデータ量は
P × ( m × n ) ＋ Q × ( m × n )
【００９９】
となる。これに対し、本第２の実施形態のように画像ファイルとカラープロファイルを独立させて送信する場合、
( P × m ) + ( Q × n )
のデータ量で済むため、データ転送量を大きく削減することが可能となる。従って、ＤＳＣ３０１２からＰＤプリンタ１０００へのデータ転送時間も削減することができる。
上記の通り本第２の実施形態によれば、第１の実施形態と同様の効果に加え、ユーザーは同じ画像を複数のカラープロファイルにより処理した場合の出力結果を見比べることができるため、自分の好みのカラープロファイルを容易に判断することが可能となる。
【０１００】
＜第３の実施形態＞
次に、本発明の第３の実施形態について説明する。本第３の実施形態では、一つのカラープロファイルに対して複数画像の印刷をＰＤプリンタ１０００に要求することにより、一度送受信を行ったカラープロファイルを保持し複数画像の印刷を行う環境を提供する。更に、複数画像の印刷に際しては、一度カラープロファイルを送信すればよいため、ＤＳＣ３０１２とＰＤプリンタ１０００間での通信のオーバーヘッドを極力減らし、簡易な構成で実現できる実施形態について説明する。
【０１０１】
まず、ジョブファイルについて図１４を用いて説明する。
【０１０２】
上述した第１の実施形態との違いは、画像ファイルが複数指定されているところである。このジョブファイルでは、一つのカラープロファイルで指定される色変換を複数の画像ファイルに適用し、複数の画像の出力を得られるように記述したものである。そのため、ジョブファイル中に記述されている４つの画像ファイルは、同一のカラープロファイルによって色変換されて出力される。
【０１０３】
次に、全体の流れについて図１３を参照して説明する。なお、図１３において、図７と同様の手順には同じ参照番号を付し、ここでは説明を省略する。ただし、本第３の実施形態では、ユーザーは、印刷を行う画像ファイル、カラープロファイル、出力媒体サイズ、出力媒体種別、日付印刷の有り無し等を設定して印刷を確定する際、複数の画像ファイルを選択する。
【０１０４】
一枚の画像出力を得るところまで（手順７００〜手順７１１）は第１の実施形態と同様である。手順７１１でＰＤプリンタ１０００は、印刷動作が終了したことをＤＳＣ３０１２へ通知すると、ＤＳＣ３０１２は、１枚目の画像の印刷終了通知を受けて、２枚目の画像ファイルをＰＤプリンタ１０００に対して送信する（手順３７１２、３７１３）。ＰＤプリンタ１０００は、受信した画像ファイルに１枚目と同じカラープロイファイルを用いて色変換を行い、出力する（手順３７１４）。ここで、ＰＤプリンタ１０００から２枚目の画像ファイルの要求は、１枚目の画像ファイルの受信完了のコマンドをもってこれに変えている。そのため、ＤＳＣ３０１２が１枚目の画像出力完了もちろん、別途画像ファイルの受信要求のコマンドを規定し、それを用いても良い。ＰＤプリンタ１０００は印刷が終了したのちに印刷終了をＤＳＣ３０１２に対して通知する（手順３７１５）。ＤＳＣ３０１２は、２枚目と同様に３枚目の印刷を行うために画像ファイルを送信する（手順３７１６、３７１７）。ＰＤプリンタ１０００は、受信した画像データの印刷を行う（手順３７１８）。３枚目の印刷動作が終了した後にＤＳＣ３０１２へＰＤプリンタ１０００が印刷の終了を送信し（手順３７１９）、ＤＳＣ３０１２は、すべての印刷行為が終了したことを認識し、一連の行為を終了する。
【０１０５】
一例として、平均ファイルサイズＰのｍ個の画像ファイルと、ファイルサイズＱのカラープロファイルを送信する例について考える。画像ファイルにカラープロファイルを埋め込む場合、転送されるデータ量は
( P ＋ Q ) × m
【０１０６】
となる。これに対し、本第３の実施形態のように画像ファイルとカラープロファイルを独立させて送信する場合、
( P × m ) + Q
のデータ量で済むため、データ転送量を大きく削減することが可能となる。従って、ＤＳＣ３０１２からＰＤプリンタ１０００へのデータ転送時間も削減することができる。
【０１０７】
＜第４の実施形態＞
次に、本は発明の第４の実施形態について説明する。本第４の実施形態では、ＰＤプリンタ１０００がＤＳＣ３０１２から受信したカラープロファイルを、ＤＳＣ３０１２との接続が切断された後も保持可能なエリアに保持する。そして、新たなカラープロファイルがＤＳＣ３０１２より送信されるまで、保持したカラープロファイルを用いて色変換を行う。この様に制御することにより、ＰＤプリンタ１０００はＤＳＣ３０１２の種別を問わず同一の色変換を行い出力を得られる。
【０１０８】
まず、ジョブファイルについて図１６を用いて説明する。
【０１０９】
図１６に示すジョブプロファイルにおいて、第１の実施形態における図８のジョブプロファイルと異なる点は、送信したソースプロファイル及びカラープロファイルを保持させることを明示的に記述した部分である。これは、図１６中の＜save_profile＞に記述されており、この値が「0001」であれば「保持する」、「0000」であれば「保持しない」ことを表している。保持する期間について明示的に指示を行うコマンドは用意していないが、ＰＤプリンタ１０００は、新たなプロファイルが送信された場合に、それまで保持していたソースプロファイル及び／又はカラープロファイルを破棄する命令と解釈する。そして、保持していたものを破棄し、新たなプロファイルを保持する。ここでいう「保持しない」とは、このプロファイルに関する記述があるジョブについてのみ有効であるという意味であり、このジョブを完了するまでは保持されるが、異なるジョブについては関与しないことを意味する。同様に「保持する」とは、この記述のあるジョブとは異なるジョブにおいても適応可能なように保持しておくことを意味する。
【０１１０】
また、ＰＤプリンタ１０００がソースプロファイルを保持する場合には接続されたＤＳＣ３０１２の種別をも保持する。これは、ソースプロファイルには機種依存性や固体依存性があるため、保持したプロファイルを適用できるかどうかを判別する判断基準の一つとして用いるためである。さらに、保持する機種情報は、接続時にＤＳＣ３０１２とＰＤプリンタ１０００間でやり取りされる情報と、画像ファイル中に埋め込まれている撮影したＤＳＣに関する情報の２種類の情報が考えられる。本第４の実施形態では、接続時にＤＳＣ３０１２より通知される機種情報を保持することとしたが、画像ファイルに保持されるものを用いてももちろん良い。画像ファイル中に保持される機種情報に関しては、前述のＥＸＩＦファイル形式に記載された方式が一般的である。
【０１１１】
次に、全体の流れについて図１５を参照して説明する。なお、図１４において、図７と同様の手順には同じ参照番号を付す。ジョブファイルの送受信まで（手順７００〜７０３）は、第１の実施形態で説明した手順と同様であるため、ここでは説明を省略する。
【０１１２】
ＰＤプリンタ１０００は、このジョブファイルを解釈した後に、ＤＳＣ３０１２からソースプロファイルを受信する（手順７０４、７０５）。図１６に示すジョブファイルの例では、ジョブファイル中のソースプロファイルに関するタグ＜save_profile＞が「0001」である。この場合、ＰＤプリンタ１０００は、ＤＳＣ３０１２とＰＤプリンタ１０００の接続が解除された後も保持可能なように、受信したソースプロファイルを不揮発性メモリ１２に保持する（手順４７１２）。このとき、前述したように、ＤＳＣ３０１２の機種情報についても保持する。なお、本第４の実施形態では電源の切断後も保持できるようにソースプロファイルを不揮発性メモリ１２に保持するものとしたが、ＲＡＭ３中に接続解除後も保持可能なように保持してももちろん良い。
【０１１３】
次に、ＰＤプリンタ１０００はカラープロファイルを受信する（手順７０７）。図１６に示す例では、ジョブファイル中のカラープロファイルに関するタグ＜save_profile＞が「0001」である。この場合、ＰＤプリンタ１０００は、ＤＳＣ３０１２とＰＤプリンタ１０００の接続が解除された後も保持可能なように、受信したカラープロファイルを不揮発性メモリ１２に保持する（手順４７１３）。
【０１１４】
最後に第１の実施形態と同様に画像ファイルを受信し（手順７０９）、印刷動作を行い（手順７１０）、１枚目の印刷が終了した後に、ＤＳＣ３０１２へ印刷の終了を通知する（手順７１１）。
【０１１５】
この後、操作者は、ＤＳＣ３０１２とＰＤプリンタ１０００の接続を切断する（手順４７１４）。
【０１１６】
次に、先ほどのＤＳＣとは異なるＤＳＣを用いて再度ＤＳＣとＰＤプリンタ１０００の接続を確立した後に（手順４７１５）、図１７に示す印刷ジョブを送受信する（手順４７１６、４７１７）。この印刷ジョブは、ＤＳＣが前回のものとは異なるため、デバイス依存性のあるソースプロファイルについては記述されているが、好みを反映させるカラープロファイルが設定されていないジョブファイルとなっている。
【０１１７】
このジョブファイルを受けたＰＤプリンタ１０００は、それを解釈し（手順４７１８）、ソースプロファイルを受信する（手順４７１９、４７２０）。ここでＰＤプリンタ１０００は、ソースプロファイルは前回の接続の手順４７１２において保持していたソースプロファイルとの置き換えを行うべきか否かを判断する。この場合、ＤＳＣの機種情報が異なるため、前回保持したソースプロファイルを破棄し、新たに受信したソースプロファイルを保持する（手順４７２１）。この際、ＰＤプリンタ１０００のユーザーインタフェースを用いてどちらのソースプロファイルを使用するべきか利用者に通知しても良い。
【０１１８】
ソースプロファイルを保持した後に、画像ファイルを受信する（手順４６２２、４７２３）。ここで、ＰＤプリンタ１０００は、図１７に示すジョブファイルにカラープロファイルが設定されていないため、メモリ中に保持している前回のカラープロファイルを用いて色変換を行い、印刷を行う（手順４７２４）。もちろん、ＰＤプリンタ１０００のユーザーインタフェースを用いて、カラープロファイルが記述されていないことを利用者に通知するようにしても良い。その場合、カラープロファイルを用いずに印刷を行うか、あらかじめ保持したカラープロファイルを用いて印刷を行うかを利用者に決定させるように構成することもできる。
【０１１９】
印刷動作が終了した後に、ＰＤプリンタ１０００は印刷の終了をＤＳＣ３０１２に通知し（手順７５２５）、一連の作業を終了する。
【０１２０】
また、保持したプロファイルは、ＰＤプリンタ１０００のユーザインタフェースを用いて破棄することが可能となっている。
【０１２１】
上記の通り本第４の実施形態によれば、同一のカラープロファイルを用いることによって、異なるＤＳＣを用いてもユーザーの同じ好みを反映した印刷結果を得ることが可能となる。
【０１２２】
なお、ソースプロファイルに記述されたＤＳＣデバイス依存のＲＧＢ色空間から、標準的な色空間への変換をソースプロファイルに基づいてＰＤプリンタ１０００が行っていたが、この色変換処理をＤＳＣ３０１２で行っても問題はない。この場合、ジョブファイルの＜source_profile＞に関する記述部分は省略されるとともに、図９における色変換Ｔaは、ＤＳＣ３０１２において実行される。
【図面の簡単な説明】
【０１２３】
【図１】本発明の実施の形態におけるＰＤプリンタの外観図である。
【図２】本発明の実施の形態におけるデジタルカメラとＰＤプリンタをダイレクトに接続する様子を示す図である。
【図３】本発明の実施の形態におけるＰＤプリンタの制御系の構成を示すブロック図である。
【図４】本発明の実施の形態におけるデジタルカメラの構成を示すブロック図である。
【図５】本発明の実施の形態におけるデジタルカメラとＰＤプリンタとの通信に関するレイヤ構造を示す図である。
【図６】本発明の実施の形態におけるデジタルカメラとＰＤプリンタとの接続時の一般的なＰＴＰプロトコルによる接続シーケンスを示す図である。
【図７】本発明の第１の実施形態におけるデジタルカメラとＰＤプリンタの全体処理手順を示す図である。
【図８】本発明の第１の実施形態における印刷ジョブファイルの一例を示す図である。
【図９】本発明の第１の実施形態における画像処理手順を示す図である。
【図１０】本発明の第２の実施形態におけるデジタルカメラとＰＤプリンタの全体処理手順を示す図である。
【図１１】本発明の第２の実施形態における印刷ジョブファイルの一例を示す図である。
【図１２】本発明の第２の実施形態における出力結果の一例を表す図である。
【図１３】本発明の第３の実施形態におけるデジタルカメラとＰＤプリンタの全体処理手順を示す図である。
【図１４】本発明の第３の実施形態における印刷ジョブファイルの一例を示す図である。
【図１５】本発明の第４の実施形態におけるデジタルカメラとＰＤプリンタの全体処理手順を示す図である。
【図１６】本発明の第４の実施形態における印刷ジョブファイルの一例を示す図である。
【図１７】本発明の第４の実施形態における印刷ジョブファイルの一例を示す図である。
【符号の説明】
【０１２４】
１０００  ＰＤプリンタ
３０１２  デジタルスチルカメラ
【図１】
2008046689.tif 000003
【図２】
2008046689.tif 000004
【図３】
2008046689.tif 000005
【図４】
2008046689.tif 000006
【図５】
2008046689.tif 000007
【図６】
2008046689.tif 000008
【図７】
2008046689.tif 000009
【図８】
2008046689.tif 000010
【図９】
2008046689.tif 000011
【図１０】
2008046689.tif 000012
【図１１】
2008046689.tif 000013
【図１２】
2008046689.tif 000014
【図１３】
2008046689.tif 000015
【図１４】
2008046689.tif 000016
【図１５】
2008046689.tif 000017
【図１６】
2008046689.tif 000018
【図１７】
2008046689.tif 000019